(57)【要約】【課題】  有益な情報をユーザに提供でき、かつ迅速に購買情報を収集できるトリガーベースドな購買情報処理システムを提供する。【解決手段】  電子決済を行う携帯電話１００と、決済情報を収集し管理するサーバ２００と、を備えた購買情報処理システムであって、サーバ２００は、決済情報を複数ユーザの携帯電話１００から受信する受信部２０４と、決済情報を蓄積する決済情報データベース２３０と、要求を受け付けたユーザの明細情報を決済情報データベースから抽出する処理部２５０と、抽出した明細情報を当該ユーザの携帯電話１００に送信する送信部２７８と、を含み、携帯電話１００は、サーバ２００に決済情報を送信するアップロード部１０８と、サーバ２００に明細情報のダウンロード要求を行い、サーバ２００から明細情報をダウンロードするダウンロード部１１４と、ダウンロードした明細情報を格納する明細情報記憶部１２０と、を含む。【選択図】      図１
2006285354.tif 000002
【特許請求の範囲】
【請求項１】
電子決済を行う携帯端末と、前記携帯端末で電子決済された決済情報を収集し管理するサーバと、を備えた購買情報処理システムであって、   前記サーバは、     前記決済情報を複数ユーザの前記携帯端末から受信する受信部と、
前記受信部が受信した前記決済情報を蓄積する決済情報データベースと、
前記携帯端末から明細情報のダウンロード要求を受け付ける受付部と、
前記受付部が前記ダウンロード要求を受け付けた前記ユーザの前記明細情報を前記決済情報データベースから抽出する抽出部と、
前記抽出部が抽出した前記明細情報を当該ユーザの前記携帯端末に送信する明細情報送信部と、
を含み、
前記携帯端末は、
前記サーバと無線通信する無線通信部と、
前記サーバに前記決済情報を前記無線通信部を介して送信する決済情報送信部と、
前記サーバに前記明細情報の前記ダウンロード要求を前記無線通信部を介して行う要求部と、
前記サーバから前記明細情報を前記無線通信部を介してダウンロードするダウンロード部と、
前記ダウンロード部がダウンロードした前記明細情報を格納する明細情報格納部と、
を含むことを特徴とする購買情報処理システム。
【請求項２】
請求項１に記載の購買情報処理システムにおいて、
前記携帯端末は、前記明細情報を表示する表示部を備えたことを特徴とする購買情報処理システム。
【請求項３】
請求項１または２に記載の購買情報処理システムにおいて、
前記携帯端末は、
店舗情報のダウンロード要求を行う店舗情報ダウンロード要求部を含み、
前記サーバは、
前記決済情報データベースに格納された前記複数ユーザの前記決済情報から、店舗毎の店舗情報を抽出し、店舗識別情報に対応付けて記憶する店舗情報データベースと、
前記携帯端末から前記店舗情報の前記ダウンロード要求を受け付ける店舗情報要求受付部と、
前記店舗情報要求受付部が受け付けた前記店舗情報の前記ダウンロード要求に呼応して、前記店舗情報データベースに格納された前記店舗情報から、前記店舗情報を抽出する店舗情報抽出部と、
前記店舗情報抽出部が抽出した前記店舗情報を前記携帯端末に送信する店舗情報送信部と、を含むことを特徴とする購買情報処理システム。
【請求項４】
請求項３に記載の購買情報処理システムにおいて、
前記携帯端末は、
自装置の現在位置情報を取得する現在位置情報取得部と、
前記現在位置情報を前記店舗情報の前記ダウンロード要求に付加する付加部と、
を含み、
前記サーバは、
前記店舗識別情報に、店舗所在地情報に対応付けて記憶する店舗所在地情報テーブルと、
前記店舗情報要求受付部が受け付けた前記ダウンロード要求から前記現在位置情報を抽出する位置情報抽出部と、
前記店舗所在地情報テーブルにアクセスし、抽出された前記現在位置情報の周辺地域の店舗所在地情報に対応する前記店舗識別情報を取得する周辺店舗情報取得部と、を含み、
前記店舗情報抽出部は、前記店舗情報データベースにアクセスし、前記周辺店舗情報取得部が取得した前記店舗識別情報に対応する前記店舗情報を抽出することを特徴とする購買情報処理システム。
【請求項５】
請求項３または４に記載の購買情報処理システムにおいて、
前記携帯端末は、
前記店舗情報を取得したい地域の指定を受け付ける地域受付部と、
指定された前記地域の位置情報を作成し、前記店舗情報の前記ダウンロード要求に付加する第２の付加部と、を含み、
前記サーバにおいて、
前記位置情報抽出部が、前記店舗情報の前記ダウンロード要求から前記地域の前記位置情報を抽出し、
前記周辺店舗情報取得部が、前記店舗所在地情報テーブルにアクセスし、抽出された前記地域の前記位置情報の周辺地域の店舗所在地情報に対応する前記店舗識別情報を取得し、
前記店舗情報抽出部が、前記店舗情報データベースにアクセスし、取得した前記店舗識別情報に対応する前記店舗情報を抽出することを特徴とする購買情報処理システム。
【請求項６】
請求項３乃至５いずれかに記載の購買情報処理システムにおいて、
前記サーバは、
前記店舗情報データベースにアクセスし、前記店舗情報に含まれる商品毎に販売価格の最低価格を検出する検出部と、
前記商品毎の前記最低価格を前記店舗識別情報に対応付けて記憶する最低価格テーブルと、
前記店舗情報の前記ダウンロード要求に呼応して、前記最低価格テーブルにアクセスし、前記店舗識別情報に対応する前記最低価格を抽出する最低価格抽出部と、を含み、
前記店舗情報送信部は、前記最低価格を含む前記店舗情報を前記携帯端末に送信することを特徴とする購買情報処理システム。
【請求項７】
複数ユーザの携帯端末で電子決済された決済情報を受信する受信部と、
前記受信部が受信した前記決済情報を蓄積する決済情報データベースと、
前記携帯端末から明細情報のダウンロード要求を受け付ける受付部と、
前記受付部が前記ダウンロード要求を受け付けた前記ユーザの前記明細情報を前記決済情報データベースから抽出する抽出部と、
前記抽出部が抽出した前記明細情報を当該ユーザの前記携帯端末に送信する明細情報送信部と、
前記決済情報データベースに格納された前記複数ユーザの前記決済情報から、店舗毎の店舗情報を抽出し、店舗識別情報に対応付けて記憶する店舗情報データベースと、
前記携帯端末から前記店舗情報のダウンロード要求を受け付ける店舗情報要求受付部と、
前記店舗情報要求受付部が受け付けた前記店舗情報の前記ダウンロード要求に呼応して、前記店舗情報データベースに格納された前記店舗情報から、前記店舗情報を抽出する店舗情報抽出部と、
前記店舗情報抽出部が抽出した前記店舗情報を前記携帯端末に送信する店舗情報送信部と、
を備えたことを特徴するサーバ。
【請求項８】
ＰＯＳレジと電子決済を行い決済情報を取得する電子決済部と、
複数ユーザの携帯端末から決済情報を収集し、蓄積するサーバと無線通信する無線通信部と、
前記サーバに前記決済情報を前記無線通信部を介して送信する決済情報送信部と、
前記サーバに前記決済情報を蓄積した自装置の明細情報のダウンロード要求を前記無線通信部を介して行う明細情報要求部と、
前記サーバに蓄積された明細情報から特定の店舗情報のダウンロード要求を行う店舗情報要求部と、
前記サーバから情報を前記無線通信部を介してダウンロードするダウンロード部と、
前記ダウンロード部がダウンロードした前記情報を格納する情報格納部と、
を備えたことを特徴とする携帯端末。
【発明の詳細な説明】
【技術分野】
【０００１】
本発明は、購買情報処理システムに関し、特に、ユーザの携帯端末を利用した購買情報処理システムに関する。
【背景技術】
【０００２】
近年、携帯電話などのモバイル機器は、本来の通信機能に加え、様々な機能が付加され、高機能化、多様化が進んでいる。その一つに、モバイル機器による電子決済があげられる。モバイル機器による電子決済については、個人認証技術や通信暗号化技術の進歩に伴い、徐々に実用化が進んでいる。
【０００３】
従来の携帯型情報端末などを使用したシステムとしては、たとえば特許文献１に記載されたものがある。同文献記載のシステムは、ユーザが携帯電話を利用して電子決済を行った領収書データを携帯電話に送信し、さらに携帯電話から家計簿サーバへ送信する。
【特許文献１】特開２００４−２１６０７号公報
【発明の開示】
【発明が解決しようとする課題】
【０００４】
上述した従来のシステムは、領収書データを家計簿サーバへ送信し、ユーザの入力操作を省力化するという点では優れていた。しかしながら、家計簿サーバへデータを送信する際に発生する通信料金をユーザが負担しなければならないために、サービス利用を実際に浸透させるのに大きな障害となっており、その点で改善の余地があった。
【０００５】
その一方で、企業においては商品購買情報を如何にして迅速に収集できるかが課題であり、企業戦略上も重要である。このような背景下で、ユーザに購買情報などの有益な情報提供を行いつつ、企業側で迅速な情報収集を可能とするシステムの実現が望まれる。
【０００６】
ところで、携帯電話などのモバイルキャリアは、ユーザが常に携行するため、商品購入の現場で使用することが可能である。このようなモバイルキャリアの特性に着眼し、携帯電話を用いることにより、電子決済時という最も商品購買時点に接近した迅速な情報収集が可能となる。このモバイルキャリア特性を情報収集システムに適用するという従来にない発想により、ユーザに購買情報などの有益な情報提供を行いつつ、企業側で迅速な情報収集を実現させる新規なシステムの実現が可能となる。
【０００７】
さらに、ユーザに購入時点での迅速かつ自発的な情報発信を促し、サービスの利用を促進させることが可能な仕組みを実現することが望まれる。なお、このようにモバイルキャリアを用いて、ユーザの自発的な行為を促し商品購買情報を迅速に収集する仕組みを、本発明において「トリガーベースド」と称することとする。
【０００８】
本発明は上記事情に鑑みてなされたものであり、その目的とするところは、有益な情報をユーザに提供でき、かつ迅速に購買情報を収集できるトリガーベースドな購買情報処理システムを提供することにある。
【課題を解決するための手段】
【０００９】
本発明によれば、電子決済を行う携帯端末と、前記携帯端末で電子決済された決済情報を収集し管理するサーバと、を備えた購買情報処理システムであって、   前記サーバは、     前記決済情報を複数ユーザの前記携帯端末から受信する受信部と、
前記受信部が受信した前記決済情報を蓄積する決済情報データベースと、
前記携帯端末から明細情報のダウンロード要求を受け付ける受付部と、
前記受付部が前記ダウンロード要求を受け付けた前記ユーザの前記明細情報を前記決済情報データベースから抽出する抽出部と、
前記抽出部が抽出した前記明細情報を当該ユーザの前記携帯端末に送信する明細情報送信部と、
を含み、
前記携帯端末は、
前記サーバと無線通信する無線通信部と、
前記サーバに前記決済情報を前記無線通信部を介して送信する決済情報送信部と、
前記サーバに前記明細情報の前記ダウンロード要求を前記無線通信部を介して行う要求部と、
前記サーバから前記明細情報を前記無線通信部を介してダウンロードするダウンロード部と、
前記ダウンロード部がダウンロードした前記明細情報を格納する明細情報格納部と、
を含むことを特徴とする購買情報処理システムが提供される。
【００１０】
ここで、携帯端末とは、たとえば、携帯電話、ＰＤＡなどの携帯型移動通信端末装置である。また、携帯端末は、たとえば、Felica（商標）などの電子決済用の非接触ＩＣカードや、あるいは、ＰＯＳシステムなどと決済情報の通信を行う赤外線通信部と、電子決済用アプリケーションプログラム実行部と、を含む決済部を備える。
【００１１】
決済情報とは、たとえば、ユーザが購入した商品名、商品コード、購入価格、購入数、購入日時、購入場所、支払い方法、決済価格などを含む。また、明細情報は、各ユーザが購入した商品の商品識別情報、購入価格、購入日時、購入店舗識別情報を含み、時系列、あるいは商品の種別、購入店舗別などに分類することができる。
【００１２】
この発明によれば、商品購入時に最も接近した時点での購買情報を収集でき、かつ有益な情報をユーザに提供することができる。
【００１３】
上記購買情報処理システムにおいて、前記携帯端末は、前記明細情報を表示する表示部を備えることができる。
【００１４】
この構成によれば、サーバからダウンロードした明細情報を携帯端末で参照することが可能となる。これにより、携帯端末からサーバに送信した決済情報から容易に明細情報を作成し、ユーザにフィードバックさせることができ、ユーザ側から見ても、購買記録の入力を省力化でき、利便性が良い。また、サーバ側では、複数のユーザの決済情報を収集でき、購買情報分析などに使用することができる。
【００１５】
上記購買情報処理システムにおいて、前記携帯端末は、店舗情報のダウンロード要求を行う店舗情報ダウンロード要求部を含むことができ、前記サーバは、前記決済情報データベースに格納された前記複数ユーザの前記決済情報から、店舗毎の店舗情報を抽出し、店舗識別情報に対応付けて記憶する店舗情報データベースと、前記携帯端末から前記店舗情報の前記ダウンロード要求を受け付ける店舗情報要求受付部と、前記店舗情報要求受付部が受け付けた前記店舗情報の前記ダウンロード要求に呼応して、前記店舗情報データベースに格納された前記店舗情報から、前記店舗情報を抽出する店舗情報抽出部と、前記店舗情報抽出部が抽出した前記店舗情報を前記携帯端末に送信する店舗情報送信部と、を含むことができる。
【００１６】
ここで、店舗情報とは、たとえば、ある店舗におけるある商品の価格情報、最低価格情報やバーゲン情報などを含む。これらの店舗情報は、複数ユーザから収集され蓄積された決済情報から取得することができるので、情報の信頼性が向上する。日頃、利用しない店舗の情報もユーザは知ることができるため、ユーザにとっても有益であり、かつ企業側から見ても、店舗の宣伝となり有益である。
【００１７】
この構成によれば、複数ユーザから収集され蓄積された情報を有効に活用することができる。
【００１８】
上記購買情報処理システムにおいて、前記携帯端末は、自装置の現在位置情報を取得する現在位置情報取得部と、前記現在位置情報を前記店舗情報の前記ダウンロード要求に付加する付加部と、を含むことができ、前記サーバは、前記店舗識別情報に、店舗所在地情報に対応付けて記憶する店舗所在地情報テーブルと、前記店舗情報要求受付部が受け付けた前記ダウンロード要求から前記現在位置情報を抽出する位置情報抽出部と、前記店舗所在地情報テーブルにアクセスし、抽出された前記現在位置情報の周辺地域の店舗所在地情報に対応する前記店舗識別情報を取得する周辺店舗情報取得部と、を含むことができ、前記店舗情報抽出部は、前記店舗情報データベースにアクセスし、前記周辺店舗情報取得部が取得した前記店舗識別情報に対応する前記店舗情報を抽出することができる。
【００１９】
この構成によれば、ユーザの現在位置を自動的にサーバに送信し、現在位置近隣の店舗情報を取得することができるので、利便性がよい。
【００２０】
上記購買情報処理システムにおいて、前記携帯端末は、前記店舗情報を取得したい地域の指定を受け付ける地域受付部と、指定された前記地域の位置情報を作成し、前記店舗情報の前記ダウンロード要求に付加する第２の付加部と、を含むことができ、前記サーバにおいて、前記位置情報抽出部が、前記店舗情報の前記ダウンロード要求から前記地域の前記位置情報を抽出し、前記周辺店舗情報取得部が、前記店舗所在地情報テーブルにアクセスし、抽出された前記地域の前記位置情報の周辺地域の店舗所在地情報に対応する前記店舗識別情報を取得し、前記店舗情報抽出部が、前記店舗情報データベースにアクセスし、取得した前記店舗識別情報に対応する前記店舗情報を抽出することができる。
【００２１】
この構成によれば、複数ユーザによって蓄積された情報から、ユーザが任意指定した地域の店舗情報を取得することができ、利便性がよい。
【００２２】
上記購買情報処理システムにおいて、前記サーバは、前記店舗情報データベースにアクセスし、前記店舗情報に含まれる商品毎に販売価格の最低価格を検出する検出部と、前記商品毎の前記最低価格を前記店舗識別情報に対応付けて記憶する最低価格テーブルと、前記店舗情報の前記ダウンロード要求に呼応して、前記最低価格テーブルにアクセスし、前記店舗識別情報に対応する前記最低価格を抽出する最低価格抽出部と、を含むことができ、前記店舗情報送信部は、前記最低価格を含む前記店舗情報を前記携帯端末に送信することができる。
【００２３】
この構成によれば、複数ユーザによって蓄積された情報から各店舗の最低価格情報を取得することができるので、利便性がよい。
【００２４】
本発明によれば、複数ユーザの携帯端末で電子決済された決済情報を受信する受信部と、
前記受信部が受信した前記決済情報を蓄積する決済情報データベースと、
前記携帯端末から明細情報のダウンロード要求を受け付ける受付部と、
前記受付部が前記ダウンロード要求を受け付けた前記ユーザの前記明細情報を前記決済情報データベースから抽出する抽出部と、
前記抽出部が抽出した前記明細情報を当該ユーザの前記携帯端末に送信する明細情報送信部と、
前記決済情報データベースに格納された前記複数ユーザの前記決済情報から、店舗毎の店舗情報を抽出し、店舗識別情報に対応付けて記憶する店舗情報データベースと、
前記携帯端末から前記店舗情報のダウンロード要求を受け付ける店舗情報要求受付部と、
前記店舗情報要求受付部が受け付けた前記店舗情報の前記ダウンロード要求に呼応して、前記店舗情報データベースに格納された前記店舗情報から、前記店舗情報を抽出する店舗情報抽出部と、
前記店舗情報抽出部が抽出した前記店舗情報を前記携帯端末に送信する店舗情報送信部と、
を備えたことを特徴するサーバが提供される。
【００２５】
本発明によれば、ＰＯＳレジと電子決済を行い決済情報を取得する電子決済部と、
複数ユーザの携帯端末から決済情報を収集し、蓄積するサーバと無線通信する無線通信部と、
前記サーバに前記決済情報を前記無線通信部を介して送信する決済情報送信部と、
前記サーバに前記決済情報を蓄積した自装置の明細情報のダウンロード要求を前記無線通信部を介して行う明細情報要求部と、
前記サーバに蓄積された明細情報から特定の店舗情報のダウンロード要求を行う店舗情報要求部と、
前記サーバから情報を前記無線通信部を介してダウンロードするダウンロード部と、
前記ダウンロード部がダウンロードした前記情報を格納する情報格納部と、
を備えたことを特徴とする携帯端末が提供される。
【００２６】
以上、本発明の構成について説明したが、これらの各構成の任意の組合せや、本発明の表現を方法、装置、システム、記録媒体、コンピュータプログラムなどの間で変換したものもまた、本発明の態様として有効である。
【発明の効果】
【００２７】
本発明によれば、有益な情報をユーザに提供でき、かつ迅速に購買情報を収集できるトリガーベースドな購買情報処理システムが提供される。
【発明を実施するための最良の形態】
【００２８】
以下、本発明の実施の形態について、図面を用いて説明する。尚、すべての図面において、同様な構成要素には同様の符号を付し、適宜説明を省略する。
【００２９】
（第一の実施の形態）
図１は、本発明の実施の形態に係る購買情報処理システムの構成を示す概略ブロック図である。本実施形態の購買情報処理システムは、電子決済を行う携帯端末（携帯電話１００）と、携帯端末で電子決済された決済情報を収集し管理するサーバ（サーバ２００）と、を備えた購買情報処理システムであって、サーバは、決済情報を複数ユーザの携帯端末から受信する受信部（インタフェース部２０２および受信部２０４）と、受信部が受信した決済情報を蓄積する決済情報データベース（決済情報データベース２３０）と、携帯端末から明細情報のダウンロード要求を受け付ける受付部（インタフェース部２０２、受信部２０４、制御部２４０）と、受付部がダウンロード要求を受け付けたユーザの明細情報を決済情報データベースから抽出する抽出部（処理部２５０）と、抽出部が抽出した明細情報を当該ユーザの携帯端末に送信する明細情報送信部（送信部２７８およびインタフェース部２０２）と、を含み、携帯端末は、サーバと無線通信する無線通信部（アンテナ１１２およびインタフェース部１１０）と、サーバに決済情報を無線通信部を介して送信する決済情報送信部（アップロード部１０８）と、サーバに明細情報のダウンロード要求を無線通信部を介して行う要求部（ダウンロード部１１４）と、サーバから明細情報を無線通信部を介してダウンロードするダウンロード部（ダウンロード部１１４）と、ダウンロード部がダウンロードした明細情報を格納する明細情報格納部（明細情報記憶部１２０）と、を含む。
【００３０】
なお、図１において、本発明の本質に関わらない部分の構成については省略してあり、たとえば、携帯電話１００およびサーバ２００間の認証処理部、伝送データの暗号化部、および復号部などは図示されていない。
【００３１】
また、購買情報処理システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００３２】
本実施形態において、携帯電話１００は、アンテナ１０２と、インタフェース部１０４（図中、「Ｉ／Ｆ」と示す）と、電子決済部１０６と、アップロード部１０８（図中、「ＵＬ部」と示す）と、インタフェース部１１０（図中、「Ｉ／Ｆ」と示す）と、アンテナ１１２と、ダウンロード部１１４（図中、「ＤＬ部」と示す）と、明細情報記憶部１２０（図中、「明細情報」と示す）と、表示部１３０と、表示制御部１３２と、操作部１３４と、受付部１３６と、処理部１４０と、を含む。
【００３３】
なお、本実施形態において、携帯電話１００は、携帯型移動通信端末装置であり、携帯電話以外に、ＰＤＡなどであってもよい。携帯電話１００は、サーバ２００と無線通信し、電子決済した決済情報をサーバ２００に送信するとともに、サーバ２００から明細情報を受信し、表示することができる。本実施形態において、携帯電話１００は、特に、決済情報から自動的に作成された家計簿情報を携帯電話１００に取り込むことができる家計簿入力支援システムを提供することができる。
【００３４】
アンテナ１０２およびインタフェース部１０４は、ＰＯＳレジ２０などと決済情報の通信を行う赤外線無線通信部、あるいは、Felica（商標）などの電子決済用の非接触ＩＣカードの無線通信部を構成する。電子決済部１０６は、ＰＯＳレジ２０と電子決済を行う。アップロード部１０８は、電子決済部１０６が電子決済した決済情報をサーバ２００にアップロードする。
【００３５】
インタフェース部１１０およびアンテナ１１２は、無線通信インタフェースであり、インターネットなどのネットワーク１に接続し、サーバ２００と通信する。アップロード部１０８は、インタフェース部１１０を介してサーバ２００に接続し、ログインして決済情報をアップロードする。なお、図２は、本実施形態の携帯電話１００からサーバ２００に送信される決済情報３００の一例を示す図である。
【００３６】
図２に示すように、決済情報３００は、ユーザＩＤ３１０と、購入日時３１２と、購入店舗コード３１４と、支払い方法３１６と、決済価格３１８と、内訳３２０と、を含む。内訳３２０には、購入した少なくとも一つの商品の商品コード３２２と、購入価格３２４と、購入数３２６と、を含む。支払い方法３１６は、たとえば、一括払い、分割払い、リボ払いなどの情報が含まれる。
【００３７】
図１に戻り、携帯電話１００において、ダウンロード部１１４は、インタフェース部１１０を介してサーバ２００からユーザ１０の明細情報や、店舗情報などをダウンロードする。明細情報記憶部１２０は、ダウンロード部１１４がダウンロードした明細情報を記憶する。これらの詳細については後述する。
【００３８】
表示部１３０は、表示制御部１３２によって制御され、各種情報表示、操作画面表示、携帯電話１００の動作や状態表示などを行う。本実施形態において、表示部１３０は、後述する家計簿明細情報などを表示する。表示制御部１３２は、表示部１３０を制御する。
【００３９】
操作部１３４は、携帯電話１００のユーザから各種設定および入力等の指示を受け付けるものである。受付部１３６は、操作部１３４の操作および入力を受け付ける。処理部１４０は、明細情報記憶部１２０の明細情報を参照するなどの処理を行う。詳細については、後述する。
【００４０】
図３は、本実施形態の携帯電話１００の外観図である。図３（ａ）は、２つ折り携帯電話１００を開いたときの携帯電話１００の操作面の正面図であり、図３（ｂ）は、携帯電話１００を９０度に折り曲げた状態の立面図であり、図３（ｃ）は、携帯電話１００の操作面の裏面である。
【００４１】
携帯電話１００は、複数の操作ボタン８１と、マイク８２と、を含む本体部８０と、液晶表示部８４と、スピーカ８６と、を含む蓋部８３と、を有する。操作ボタン８１は、図１の操作部１３４を構成する。また、液晶表示部は、図１の表示部１３０を構成する。携帯電話１００は、赤外線通信窓８７を有する。本実施形態において、赤外線通信窓８７を介してＰＯＳレジ２０と赤外線通信を行うことができ、図１のインタフェース部１０４を構成する。
【００４２】
また、蓋部８３の表側には、液晶表示器からなるサブ表示部８８と、複数のＬＥＤ表示器から構成され、複数色に発色する光源部８９と、を有する。さらに、本体外側９０は、ＩＣ部９１を有し、電子決済専用の非接触型ＩＣカードが内部に設けられている。ＩＣ部９１を、ＰＯＳレジ２０などが有するＩＣカードリーダ（不図示）に近づけることにより無線通信が可能となる。ＩＣ部９１は、図１のインタフェース部１０４を構成する。
【００４３】
図４は、本実施形態の携帯電話１００の構成を示す概略ブロック図である。携帯電話１００は、上述のＩＣ部９１と、操作部１３４と、表示部１３０と、に加え、制御部１６０と、メモリ１６２と、通信部１６４と、赤外線通信部１６６と、音声入出力部１７０と、マイク１７２と、スピーカ１７４と、振動部１７６と、ＬＥＤ表示器１７８と、を含む。
【００４４】
制御部１６０は、携帯電話１００の各構成要素とともに装置全体を制御する。メモリ１６２は、携帯電話１００を制御するプログラムや設定データを記憶するとともに、プログラムの作業領域を含む。本実施形態の購買情報処理システムにおいて、図１の携帯電話１００の機能ブロック図に示される構成要素の一部は、このプログラムによって実現される。なお、制御部１６０にプログラムを実行する実行部（不図示）が含まれる。
【００４５】
通信部１６４は、サーバ２００と無線通信を行うものであり、図１のインタフェース部１１０、アンテナ１１２、ダウンロード部１１４およびアップロード部１０８を構成する。赤外線通信部１６６は、ＰＯＳレジ２０と赤外線通信を行うものであり、ＩＣ部９１とともに、図１のインタフェース部１０４を構成する。なお、赤外線通信部１６６は、図３の赤外線通信窓８７を介して赤外線の送受信を行う。
【００４６】
音声入出力部１７０は、制御部１６０により制御され、マイク１７２およびスピーカ１７４を介して音声の入出力を行う。振動部１７６は、制御部１６０により制御され、様々なパターンで携帯電話１００を振動させる。ＬＥＤ表示器１７８は、複数色のＬＥＤ表示器から構成され、制御部１６０により制御され、所定の点灯点滅間隔、配置および色パターンで光る。
【００４７】
図１に戻り、サーバ２００は、インタフェース部２０２（図中、「Ｉ／Ｆ」と示す）と、受信部２０４と、管理部２１０と、決済情報データベース２３０（図中、「決済情報ＤＢ」と示す）と、制御部２４０と、処理部２５０と、送信部２７８と、を含む。
【００４８】
インタフェース部２０２は、インターネットやＬＡＮなどのネットワーク１を介して複数ユーザ１０（図中、「ユーザＡ」、「ユーザＢ」および、「ユーザＣ」と示す）の携帯電話１００と通信を行うインタフェースであり、無線または有線通信のいずれであってもよい。
【００４９】
受信部２０４は、携帯電話１００から決済情報を受信したり、明細情報ダウンロード要求などの要求を受信する。管理部２１０は、受信部２０４が受信した情報などを決済情報データベース２３０に格納するとともに、管理する。
【００５０】
決済情報データベース２３０は、複数ユーザ１０の決済情報を蓄積する。図５に、決済情報データベース２３０の構造の一例を示す。本実施形態において、決済情報データベース２３０は、決済テーブル４１０と、内訳テーブル４２０と、商品テーブル４３０と、を含む。
【００５１】
図５（ａ）に示すように、決済テーブル４１０は、ユーザＩＤ４１２毎の決済コード４１４と、購入日時４１５と、店舗コード４１６と、支払い方法４１７と、決済価格４１８と、を含む。管理部２１０が、一決済毎に決済テーブル４１０の決済コード４１４を付与し、受信部２０４が受信した図２の決済情報３００の購入日時３１２、購入店舗コード３１４、支払い方法３１６、および決済価格３１８を、購入日時４１５、店舗コード４１６、支払い方法４１７、および決済価格４１８にそれぞれ格納する。
【００５２】
図５（ｂ）に示すように、内訳テーブル４２０は、決済コード４１４毎の商品コード４２２と、購入価格４２３と、購入数４２４と、を含む。管理部２１０が、受信部２０４が受信した図２の決済情報３００の内訳３２０に含まれる少なくとも一つの購入明細、すなわち、商品コード３２２、購入価格３２４、および購入数３２６を、商品コード４２２、購入価格４２３、および購入数４２４にそれぞれ格納する。
【００５３】
図５（ｃ）に示すように、商品テーブル４３０は、予め図示されない企業から提供されている商品コード４２２および対応する商品名４３２を記憶する。商品テーブル４３０は、さらに、商品の標準価格、メーカ名、品名、家計簿情報費目など各商品に関する各種の情報を含むこともできる。
【００５４】
図１に戻り、制御部２４０は、サーバ２００の各構成要素とともに装置全体を制御する。たとえば、制御部２４０は、受信部２０４が明細情報ダウンロード要求を受信したとき、その要求を受け付け、処理部２５０に通知する。処理部２５０は、決済情報データベース２３０の情報から家計簿の明細情報を作成するなどの処理を行う。たとえば、受信部２０４がユーザ１０から明細情報ダウンロード要求を受け付けたとき、処理部２５０は、そのユーザ１０の明細情報を決済情報データベース２３０から抽出し、明細情報を作成する。送信部２７８は、処理部２５０が作成した明細情報などをインタフェース部２０２を介して当該ユーザ１０の携帯電話１００に送信する。
【００５５】
図６は、本実施形態の明細情報４４０の一例を示す図である。明細情報４４０は、ユーザＩＤ４１２毎の家計簿の明細情報を含み、たとえば、商品を購入した日付４４２、購入した商品の品名４４３、購入金額４４４（金額）、購入数量４４５（数量）、および購入店舗名４４６（店舗名）を含むことができる。
【００５６】
ここで、明細情報４４０は、ユーザ毎に時系列で購入明細情報を分類しているが、これに限定されず、商品の種別、購入店舗別などに分類することもできる。
【００５７】
図７は、本実施形態の携帯電話１００の表示部１３０の表示画面の一例を示す図である。図７（ａ）に示すように、家計簿メニュー画面５００であり、携帯電話１００の制御部１６０がメモリ１６２に記憶された本実施形態の購買情報処理プログラムを起動し、実行することによって表示される。
【００５８】
家計簿メニュー画面５００は、決済情報送信メニュー５０２と、家計簿ダウンロードメニュー５０４と、家計簿参照メニュー５０６と、商品情報参照メニュー５０８と、店舗情報参照メニュー５１０と、終了ボタン５１４と、を含む。選択されているメニューが反転表示５１２される。各メニューおよび操作ボタンの操作は、ユーザ１０が操作部１３４を用いて行い、受付部１３６が受け付ける。
【００５９】
家計簿メニュー画面５００の家計簿参照メニュー５０６が選択されると、表示部１３０には、家計簿参照画面５２０が表示される。図７（ｂ）に家計簿参照画面５２０の一例を示す。家計簿参照画面５２０は、日計明細一覧５２２と、週計ボタン５２４と、月計ボタン５２６と、を含む。日計明細一覧５２２には、ユーザ１０がその日に購入した商品の商品名、金額、および数量などが含まれ、日計５２３とともに表示される。週計ボタン５２４および月計ボタン５２６をユーザ１０が操作すると、それぞれ週計明細一覧および月計明細一覧がそれぞれ表示されることとなる。
【００６０】
このように構成された本実施形態の購買情報処理システムの動作について、以下に説明する。図８は、本実施形態の購買情報処理システムの動作の一例を示すフローチャートである。以下、図１乃至図８を用いて説明する。
【００６１】
まず、ＰＯＳレジ２０と携帯電話１００間で、電子決済が行われ（ステップＳ１１）、その結果得られた決済情報が携帯電話１００からサーバ２００に送信される（ステップＳ１３）。ここで、携帯電話１００では、購買情報処理プログラムが制御部１６０によって起動されており、ユーザ１０は、携帯電話１００の表示部１３０に表示された図７（ａ）の家計簿メニュー画面５００の決済情報送信メニュー５０２を選択して、決済情報の送信を行うことができる。
【００６２】
そして、サーバ２００において、インタフェース部２０２を介して受信部２０４が受信した決済情報が管理部２１０によって上述したように決済情報データベース２３０に格納される（ステップＳ１５）。次に、図７（ａ）の家計簿メニュー画面５００の家計簿ダウンロードメニュー５０４をユーザ１０が選択すると、受付部１３６が受け付け、ダウンロード部１１４がサーバ２００に対して明細情報ダウンロード要求を行う（ステップＳ２１）。
【００６３】
そして、サーバ２００において、インタフェース部２０２および受信部２０４を介して制御部２４０が明細情報ダウンロード要求を受け付け（ステップＳ２３）、処理部２５０に通知する。処理部２５０は、決済情報データベース２３０にアクセスし、要求を受け付けたユーザ１０の明細情報を抽出する（ステップＳ２５）。そして、送信部２７８が明細情報を当該ユーザ１０にインタフェース部２０２を介して送信する（ステップＳ２７）。
【００６４】
携帯電話１００では、インタフェース部１１０を介してダウンロード部１１４が受信した明細情報を明細情報記憶部１２０に格納する（ステップＳ２９）。そして、ユーザ１０が図７（ａ）の家計簿メニュー画面５００の家計簿参照メニュー５０６を選択したとき、図７（ｂ）に示す家計簿参照画面５２０が表示部１３０に表示される（ステップＳ３１）。
【００６５】
以上説明したように、本実施形態の購買情報処理システムによれば、有益な情報をユーザに提供でき、かつ迅速に購買情報を収集できる。これによりトリガーベースドなシステムが構築される。特に、携帯電話１００の利用により、モバイルキャリア特有の特性であるトリガーベースドな情報収集が可能となるとともに、商品購入現場で手軽に情報を収集および参照することができるので、利便性がよい。
【００６６】
（第二の実施形態）
本発明の実施形態の購買情報処理システムは、複数ユーザ１０の携帯電話１００から収集した決済情報を利用して、各ユーザ１０に有益な情報をフィードバックする。たとえば、携帯電話１００は、サーバ２００に対して、ある店舗におけるある商品の価格情報、最低価格情報やバーゲン情報などを含む店舗情報を要求し、取得する。さらに、ユーザ１０の現在位置近隣の店舗の店舗情報や、ユーザ１０が指定した地域近隣の店舗の店舗情報を取得することができる。
【００６７】
図９は、本発明の実施の形態に係る携帯電話１００の処理部１４０の詳細を示す機能ブロック図である。本実施形態において、携帯端末（携帯電話１００）は、自装置の現在位置情報を取得する現在位置情報取得部（現在位置情報取得部１４２）と、現在位置情報をダウンロード要求に付加する付加部（位置情報作成部１４４）と、を含む。
【００６８】
詳細には、処理部１４０は、現在位置情報取得部１４２と、位置情報作成部１４４と、地域受付部１４６と、商品名受付部１４８と、要求部１５０と、を含む。
【００６９】
現在位置情報取得部１４２は、ＧＰＳ衛星３０と通信を行うアンテナおよび通信部を含み、自装置の現在位置情報をＧＰＳ衛星３０から受信し、取得する。地域受付部１４６は、操作部１３４を操作して、ユーザ１０が指定した地域を受け付ける。
【００７０】
位置情報作成部１４４は、位置情報作成部１４４は、地域受付部１４６が受け付ける地域に対応する位置情報のテーブルを含み、地域受付部１４６が受け付けた地域に対応した位置情報を作成する。位置情報作成部１４４は、さらに、現在位置による店舗情報を取得する場合は、現在位置情報取得部１４２が取得した現在位置情報を店舗情報ダウンロード要求の位置情報とする。
【００７１】
商品名受付部１４８は、操作部１３４を操作してユーザ１０が指定した商品名を受け付ける。たとえば、図７（ｂ）の家計簿参照画面５２０において、商品名を反転表示させて選択することなどによって、商品を指定することもできる。
【００７２】
要求部１５０は、位置情報作成部１４４で作成された位置情報の店舗および商品名受付部１４８が受け付けた商品名の商品の情報をサーバ２００にダウンロード要求する。この店舗情報ダウンロード要求は、ダウンロード部１１４によりインタフェース部１１０を介してサーバ２００に対して行われる。
【００７３】
図１０は、本実施形態のサーバ２００の処理部２５０の詳細を示す機能ブロック図である。本実施形態のサーバ（サーバ２００）は、店舗識別情報に、店舗所在地情報に対応付けて記憶する店舗所在地情報テーブル（所在地テーブル２３２）と、決済情報データベース（決済情報データベース２３０）に格納された複数ユーザの決済情報から、店舗毎の店舗情報を抽出し、店舗識別情報に対応付けて記憶する店舗情報データベース（店舗明細データベース２７０）と、受付部（要求受付部２５２）が受け付けたダウンロード要求から現在位置情報を抽出する位置情報抽出部（位置情報抽出部２５４）と、店舗所在地情報テーブルにアクセスし、抽出された現在位置情報の周辺地域の店舗所在地情報に対応する店舗識別情報を取得する周辺店舗情報取得部（店舗検索部２５６）と、店舗情報データベースにアクセスし、取得した店舗識別情報に対応する店舗情報を抽出する情報抽出部（店舗情報取得部２５８）と、抽出された店舗情報を携帯端末に送信する店舗情報送信部（送信部２７８）と、を含む。
【００７４】
詳細には、処理部２５０は、要求受付部２５２と、明細情報抽出部２５３と、位置情報抽出部２５４と、店舗検索部２５６と、店舗情報取得部２５８と、店舗情報処理部２６０と、を含む。また、サーバ２００は、店舗明細データベース２７０（図中、「店舗明細ＤＢ」と示す）と、店舗コードに店舗所在地コードを対応付けて記憶する所在地テーブル２３２と、を含む。
【００７５】
要求受付部２５２は、制御部２４０が受け付けた明細情報ダウンロード要求または店舗情報ダウンロード要求を受け付ける。明細情報ダウンロード要求を受け付けたときは、明細情報抽出部２５３に通知し、店舗情報ダウンロード要求を受け付けたときは、位置情報抽出部２５４に通知する。
【００７６】
明細情報抽出部２５３は、要求受付部２５２からの通知を受け、決済情報データベース２３０にアクセスし、当該明細情報ダウンロード要求をしたユーザ１０の明細情報を抽出し、送信部２７８に受け渡す。位置情報抽出部２５４は、要求受付部２５２からの通知を受け、店舗情報ダウンロード要求から位置情報を抽出する。店舗検索部２５６は、所在地テーブル２３２にアクセスし、位置情報抽出部２５４が抽出した位置情報に対応する所在地コードを検索キーとして該当する地域の店舗コードを検索する。本実施形態において、所在地テーブル２３２を用いる構成としたが、これに限定されない。たとえば、地図情報を用いて、位置情報抽出部２５４が抽出した位置情報近辺の地域内の店舗を検索することもできる。
【００７７】
店舗情報取得部２５８は、店舗検索部２５６が取得した店舗コードに対応する店舗の情報を店舗明細データベース２７０から取得し、送信部２７８に受け渡す。店舗情報処理部２６０は、決済情報データベース２３０にアクセスし、店舗毎の店舗情報、たとえば、商品毎の販売価格を取得し、店舗明細データベース２７０に格納する。あるいは、店舗明細データベース２７０に格納された店舗の販売価格から平均販売価格や最低価格などを解析することもできる。あるいは、図示されない情報入力部から店舗のバーゲン情報、広告情報などを受け付け、店舗明細データベース２７０に格納することもできる。
【００７８】
図１１は、店舗情報の一例として商品毎の各店舗における販売価格の実績を記録した販売実績情報２８０の一例を示す。販売実績情報２８０は、商品コード２８２毎に、購入日時２８４と、店舗コード２８６と、購入価格２８８と、を含む。これらの情報は、複数ユーザ１０の携帯電話１００から送信された決済情報を決済情報データベース２３０から店舗情報処理部２６０が取得し、販売実績情報２８０として店舗明細データベース２７０に記憶される。この情報から、たとえば、商品の平均販売価格や最低価格などを解析することができる。
【００７９】
上述したように、携帯電話１００からの店舗情報ダウンロード要求に呼応して、たとえば、図１１の店舗明細データベース２７０に格納されている販売実績情報２８０の情報から店舗情報取得部２５８が最低価格比較情報を取得し、送信部２７８が携帯電話１００に送信する。携帯電話１００において、インタフェース部１１０を介してダウンロード部１１４が最低価格比較情報を受信し、明細情報記憶部１２０に格納する。この情報は、表示制御部１３２によって表示部１３０に画面表示することができる。
【００８０】
具体的には、図７（ａ）の家計簿メニュー画面５００の商品情報参照メニュー５０８が選択されたとき、上記の店舗情報ダウンロード要求が携帯電話１００からサーバ２００に対して行われ、サーバ２００から携帯電話１００が最低価格比較情報を受信し、表示制御部１３２が表示部１３０に商品情報参照画面５３０を表示する。
【００８１】
図１２は、本実施形態の購買情報処理システムの商品情報参照画面５３０の一例を示す図である。商品情報参照画面５３０は、特定商品の最低価格比較情報を表示し、たとえば、商品名５３２と、最低価格一覧５３４と、を含む。なお、図７（ａ）において、ユーザ１０が商品情報参照メニュー５０８を選択したとき、さらに、商品名やその商品情報の種類、たとえば、定価、バーゲン情報（タイムサービス、会員割引、まとめ買い割引情報）、クーポン券発行の有無（クーポン券発行ＵＲＬ提示）、最低価格比較情報、平均価格情報、ユーザ自身の商品購入履歴（日時、金額、店舗名）、購入周期などの詳細設定を行う画面を表示部１３０に表示し、設定を受け付けてからサーバ２００に店舗情報ダウンロード要求を行うものとする。
【００８２】
このように構成された本実施形態の購買情報処理システムの動作について、以下に説明する。図１３は、本実施形態の購買情報処理システムの動作の一例を示すフローチャートである。以下、図９乃至図１３を用いて説明する。
【００８３】
まず、携帯電話１００において、現在位置情報取得部１４２がＧＰＳ衛星３０に現在位置を要求し、ＧＰＳ衛星３０から携帯電話１００に現在位置情報が送信され（ステップＳ４１）、現在位置情報取得部１４２が現在位置情報を取得する（ステップＳ４３）。現在位置情報取得部１４２が取得した現在位置情報から位置情報作成部１４４が店舗情報ダウンロード要求に付加する位置情報を作成する（ステップＳ４５）
【００８４】
つづいて、携帯電話１００において、操作部１３４をユーザ１０が操作して指定した商品名を商品名受付部１４８が受け付ける（ステップＳ４７）。ここでは、「商品Ａ」の最低価格比較情報をユーザ１０が指定したものとする。そして、要求部１５０が、ステップＳ４５で位置情報作成部１４４が作成した位置情報およびステップＳ４７で商品名受付部１４８が受け付けた商品名を含む店舗情報ダウンロード要求をサーバ２００に対して要求するようダウンロード部１１４に通知する。ダウンロード部１１４がサーバ２００に対して店舗情報ダウンロード要求を行う（ステップＳ４９）。
【００８５】
そして、サーバ２００において、受信部２０４が受信した店舗情報ダウンロード要求が制御部２４０によって受け付けられ、処理部２５０に通知される。そして、処理部２５０において、要求受付部２５２が店舗情報ダウンロード要求を受け付ける（ステップＳ５１）。そして、要求受付部２５２から位置情報抽出部２５４に店舗情報ダウンロード要求が通知される。
【００８６】
そして、位置情報抽出部２５４が、要求受付部２５２からの通知を受けて、店舗情報ダウンロード要求から位置情報を抽出する（ステップＳ５３）。つづいて、店舗検索部２５６が、所在地テーブル２３２にアクセスし、ステップＳ５３で位置情報抽出部２５４が抽出した位置情報に対応する所在地コードを検索キーとして、該当する地域の店舗コードを検索する（ステップＳ５５）。
【００８７】
つづいて、店舗情報取得部２５８が、ステップＳ５５で店舗検索部２５６が取得した店舗コードに対応する店舗の情報を店舗明細データベース２７０から取得し、送信部２７８に受け渡す（ステップＳ５７）。ここで、店舗情報取得部２５８は「商品Ａ」の最低価格比較情報を取得する。すなわち、携帯電話１００のユーザ１０の現在位置近郊の店舗における「商品Ａ」の最低価格比較情報が取得される。そして、ステップＳ５７で取得された店舗情報を送信部２７８が携帯電話１００に送信する（ステップＳ５９）。
【００８８】
そして、携帯電話１００において、ダウンロード部１１４がインタフェース部１１０を介してサーバ２００から店舗情報を受信し、明細情報記憶部１２０に格納する（ステップＳ６１）。そして、明細情報記憶部１２０に格納された店舗情報を表示制御部１３２が表示部１３０に表示する（ステップＳ６３）。たとえば、図１２の商品情報参照画面５３０が表示される。
【００８９】
以上説明したように、本実施形態の購買情報処理システムによれば、ユーザの現在位置を自動的にサーバに送信し、現在位置近隣の店舗情報を取得することができるので、利便性がよい。このように、モバイルキャリアの特性を生かし、商品購入現場および購入時に接近した時点で、複数ユーザから収集され蓄積された情報を有効に活用することができる。
【００９０】
以上、図面を参照して本発明の実施形態について述べたが、これらは本発明の例示であり、上記以外の様々な構成を採用することもできる。なお、本発明において利用者に関する情報を取得、利用する場合は、これを適法に行うものとする。
【００９１】
たとえば、サーバ２００から携帯電話１００へ提供される店舗情報には、商品広告情報を含むことができる。すなわち、サーバ２００は、企業から提供される商品広告情報を受け付ける広告情報受付部と、携帯電話１００へ送信する店舗情報に付加する広告情報付加部と、を含むことができる。商品広告情報には、商品情報ホームページへのアクセス用ＵＲＬを含むことができる。商品広告情報とは、たとえば、バーゲン情報、タイムサービス情報、クーポン券発行、会員割引、まとめ買い割引、懸賞キャンペーン情報、新製品紹介などを含むことができる。
【００９２】
また、上記実施の形態において、サーバ２００から明細情報および店舗情報は携帯電話１００にダウンロードする構成としたが、これに限定されない。たとえば、パーソナルコンピュータやＰＤＡなどの端末装置にダウンロードすることもできる。この構成によれば、パーソナルコンピュータなどに予めインストールされている家計簿アプリケーションプログラムへの明細情報などのインポートを行うことができる。
【００９３】
また、上記実施形態において、ＰＯＳレジ２０との電子決済時の決済情報をサーバ２００が収集する構成としたが、これに限定されない。パーソナルコンピュータなどの端末装置を用いた構成の場合、通信販売やネットオークションなどの取引態様においても、これらの情報をサーバ２００へアップロードするアップロード部を端末装置に設けることにより、これらの情報をサーバ２００が蓄積し、活用することもできる。
【００９４】
また、他の実施形態において、サーバ２００は、携帯電話１００から決済情報を受信したとき、当該ユーザ１０にインセンティブを付与するインセンティブ付与部を含むことができる。これにより、携帯電話１００がサーバ２００に決済情報をアップロードする際には、通信料金費用分のインセンティブをサーバ２００からユーザ１０に対して付与することができるので、決済情報のアップロードをユーザ１０に促す契機（トリガー）とすることができる。
【００９５】
さらに、サーバ２００は、ユーザ１０毎の明細情報に基づく、ライフプラン、ポートフォリオ、ファイナンシャルプランなどの解析を行い、ユーザ１０に提示する解析提示部を含むことができる。ユーザ１０は、サーバ２００にアクセスし、上記解析結果をダウンロードすることによって、これらの様々な情報を取得することができる。
【００９６】
また、上記実施形態において、店舗情報は、店舗所在地に応じて取得される構成としたが、これ以外にも、たとえば、購入時間帯別の情報を取得することもできる。たとえば、店舗から直接提供される早朝セールや閉店前セールなどのタイムサービスや、期間限定セール情報などをサーバ２００から携帯電話１００に提供することもできる。さらに、複数ユーザ１０から収集した決済情報から購入時間帯や日付（期間）別による価格変動をプロットして、一覧表示やグラフ表示などにより店舗情報を携帯電話１００に提示することもできる。
【００９７】
さらに、サーバ２００からユーザ１０に提供された広告情報に対して、ユーザ１０の携帯電話１００や端末装置などから返信を受け付ける返信受付部をサーバ２００に設け、返信に呼応して、ユーザ１０に対してインセンティブを付与することもできる。あるいは、ユーザ１０にＢＬＯＧなどへの書き込みを促すメッセージを提示すこともできる。これにより、ユーザ１０にアフィリエイトが発生する仕組みが構築できるので、本システムのサービス利用の促進を図ることができる。
【図面の簡単な説明】
【００９８】
【図１】本発明の実施の形態に係る購買情報処理システムの構成を示す概略ブロック図である。
【図２】図１の携帯電話からサーバに送信される決済情報の一例を示す図である。
【図３】図１の携帯電話の外観図である。
【図４】図１の携帯電話の構成を示す概略ブロック図である。
【図５】図１のサーバの決済情報データベースの構造の一例を示す。
【図６】図１のサーバから携帯電話に送信される明細情報の一例を示す図である。
【図７】図１の携帯電話の表示部の表示画面の一例を示す図である。
【図８】本実施形態の購買情報処理システムの動作の一例を示すフローチャートである。
【図９】本発明の実施の形態に係る購買情報処理システムの携帯電話の処理部の詳細を示す機能ブロック図である。
【図１０】本発明の実施の形態に係る購買情報処理システムのサーバの処理部の詳細を示す機能ブロック図である。
【図１１】店舗情報の一例として商品毎の各店舗における販売価格の実績を記録した販売実績情報の一例を示す図である。
【図１２】図９の携帯電話の表示部に表示される商品情報参照画面の一例を示す図である。
【図１３】図９および図１０の携帯電話およびサーバの動作の一例を示すフローチャートである。
【符号の説明】
【００９９】
１  ネットワーク
１０  ユーザ
２０  ＰＯＳレジ
３０  ＧＰＳ衛星
８０  本体部
８１  操作ボタン
８２  マイク
８３  蓋部
８４  液晶表示部
８６  スピーカ
８７  赤外線通信窓
８８  サブ表示部
８９  光源部
９０  本体外側
９１  ＩＣ部
１００  携帯電話
１０２  アンテナ
１０４  インタフェース部
１０６  電子決済部
１０８  アップロード部
１１０  インタフェース部
１１２  アンテナ
１１４  ダウンロード部
１２０  明細情報記憶部
１３０  表示部
１３２  表示制御部
１３４  操作部
１３６  受付部
１４０  処理部
１４２  現在位置情報取得部
１４４  位置情報作成部
１４６  地域受付部
１４８  商品名受付部
１５０  要求部
１６０  制御部
１６２  メモリ
１６４  通信部
１６６  赤外線通信部
１７０  音声入出力部
１７２  マイク
１７４  スピーカ
１７６  振動部
１７８  ＬＥＤ表示器
２００  サーバ
２０２  インタフェース部
２０４  受信部
２１０  管理部
２３０  決済情報データベース
２３２  所在地テーブル
２４０  制御部
２５０  処理部
２５２  要求受付部
２５３  明細情報抽出部
２５４  位置情報抽出部
２５６  店舗検索部
２５８  店舗情報取得部
２６０  店舗情報処理部
２７０  店舗明細データベース
２７８  送信部
２８０  販売実績情報
２８２  各商品コード
２８４  購入日時
２８６  店舗コード
２８８  購入価格
３００  決済情報
３１０  ユーザＩＤ
３１２  購入日時
３１４  購入店舗コード
３１６  支払い方法
３１８  決済価格
３２０  内訳
３２２  商品コード
３２４  購入価格
３２６  購入数
４１０  決済テーブル
４１２  ユーザＩＤ
４１４  決済コード
４１５  購入日時
４１６  店舗コード
４１７  支払い方法
４１８  決済価格
４２０  内訳テーブル
４２２  商品コード
４２３  購入価格
４２４  購入数
４３０  商品テーブル
４３２  商品名
４４０  明細情報
４４２  日付
４４３  品名
４４４  購入金額
４４５  購入数量
４４６  購入店舗名
５００  家計簿メニュー画面
５０２  決済情報送信メニュー
５０４  家計簿ダウンロードメニュー
５０６  家計簿参照メニュー
５０８  商品情報参照メニュー
５１０  店舗情報参照メニュー
５１２  反転表示
５１４  終了ボタン
５２０  家計簿参照画面
５２２  日計明細一覧
５２３  日計
５２４  週計ボタン
５２６  月計ボタン
【図１】
2006285354.tif 000003
【図２】
2006285354.tif 000004
【図３】
2006285354.tif 000005
【図４】
2006285354.tif 000006
【図５】
2006285354.tif 000007
【図６】
2006285354.tif 000008
【図７】
2006285354.tif 000009
【図８】
2006285354.tif 000010
【図９】
2006285354.tif 000011
【図１０】
2006285354.tif 000012
【図１１】
2006285354.tif 000013
【図１２】
2006285354.tif 000014
【図１３】
2006285354.tif 000015